(57)【要約】【課題】簡易な構造であって、施錠と開錠を行う操作部材の上下方向のストロークが大きく、操作の体感が顕著な鎌が上向きの鎌錠を提供すること。【解決手段】鎌錠本体内部の後部側に上下方向に揺動可能に枢支される所定長さであって前方側に第１長孔を、中央側に第２長孔を有する揺動リンク部材と、該鎌錠本体の前部側に施錠位置と開錠位置の間を揺動するように枢支された所定長さを有し且つ該枢支位置より後方位置で該揺動リンク部材の第１長孔と互いが回動自在となるように連結する鎌が上向きの鎌部材と、該鎌錠本体の後部側に該鎌錠本体が延在する方向と直交する方向に直線移動するように配置され且つ上方位置で該揺動リンク部材の第２長孔と互いが回動自在となるように連結する所定長さの操作部材と、を有する鎌錠本体と、該操作部材を作動させる引戸の側面に設置される操作手段と、を備える鎌錠。【選択図】図７
2008127743.tif 000002
【特許請求の範囲】
【請求項１】
引戸により開閉される出入り口構成用枠体に設けられた鎌錠用係止金具と、
該引戸に該鎌錠用係止金具と対向する引戸の先端面から内方へ延在して装着される下記（Ａ）〜（Ｃ）； 
（Ａ）該鎌錠本体内部の後部側に該鎌錠本体が延在する方向と直交する方向に揺動可能に枢支される所定長さであって前方側に第１長孔を、中央側に第２長孔を有する揺動リンク部材、
（Ｂ）該鎌錠本体の前部側に施錠位置と開錠位置の間を揺動するように枢支された所定長さを有し且つ該枢支位置より後方位置で該揺動リンク部材の第１長孔と互いが回動自在となるように連結する鎌が上向きの鎌部材、
（Ｃ）該鎌錠本体の後部側に該鎌錠本体が延在する方向と直交する方向に直線移動するように配置され且つ上方位置で該揺動リンク部材の第２長孔と互いが回動自在となるように連結する所定長さの操作部材、
の各部材を備える鎌錠本体と、
該操作部材を作動させる引戸の側面に設置される操作手段と、を備えることを特徴とする鎌錠。
【請求項２】
該鎌錠本体と該鎌部材を接続するバネ部材を更に有し、該バネ部材は開錠の状態で鎌部材が没入する方向に付勢し、施錠の状態で鎌部材を出す方向に付勢するように設置されることを特徴とする請求項１記載の鎌錠。
【請求項３】
施錠位置と開錠位置間における操作部材のストロークが、６〜７ｍｍであることを特徴とする請求項１又は２記載の鎌錠。
【請求項４】
引戸の先端面から揺動リンク部材の枢支位置までの距離Ｌ２が、施錠位置と開錠位置間における操作部材のストロークＬ１の６．５〜８．５倍であることを特徴とする請求項１〜３のいずれか１項に記載の鎌錠。
【請求項５】
該鎌錠本体の前方の先端面から奥側へ３８ｍｍと５１ｍｍの位置にそれぞれ固定用ピンが挿入されるピン孔が形成されてなることを特徴とする請求項１〜４のいずれか１項に記載の鎌錠。
【発明の詳細な説明】
【技術分野】
【０００１】
本発明は、鎌錠を構成する部品点数が少ない簡易な構造のものであって、施錠と開錠を行う操作部材の上下方向のストロークが大きく、操作の体感が顕著な引戸に使用される鎌が上向きの鎌錠に関する。
【背景技術】
【０００２】
引戸に使用される鎌錠については種々の機構のものが報告されている（例えば、特開２００２−１１５４３７号公報）。鎌錠は大きく分けて、施錠時に下向きの鎌が出てくる下向きの鎌錠と、施錠時に上向きの鎌が出てくる上向きの鎌錠がある。下向きの鎌錠は、下戸車型引戸の場合、引戸が持ち上がると、施錠が解除されてしまうという問題がある。
【０００３】
また、施錠の操作方法から見ると、操作部材（操作レバー）を回動する施錠方法、操作部材を鎌錠本体が延在する方向（引戸の移動方向）に移動させる方法、あるいは操作部材を鎌錠本体が延在する方向と直交する方向（引戸の先端面に沿った方向で通常上下方向）に移動させる方法がある。この中、操作部材を鎌錠本体が延在する方向と直交する方向に移動させる方法が、操作性に優れる点で好適である。
【０００４】
特開２００２−２０１８４０号公報には、引戸の内部に埋め込まれる引戸錠本体と、開口部を有し、表面が上記引戸の端面と略一致するように上記引戸に取付けられる縦長のフロントプレートと、上記引戸錠本体に設けられた揺動軸回りに揺動して、上記フロントプレートの開口部から出没する鎌と、上記鎌に一端を接続すると共に他端を駆動機構に接続し、この駆動機構からの力によって上記鎌を揺動させる駆動リンクと、上記鎌を突出位置および没入位置に向って付勢する付勢手段とを備える引戸錠において、上記駆動リンクの他端に、上記駆動機構に接続するための接続孔を少なくとも２つ設けた引戸錠が開示されている。この引戸錠は部品点数が少ない簡易な構造であるものの、鎌が下向きであると共に、操作レバーは引戸錠本体が延在する方向に移動させるものである。
【特許文献１】特開２００２−１１５４３７号公報
【特許文献２】特開２００２−２０１８４０号公報
【発明の開示】
【発明が解決しようとする課題】
【０００５】
また、特開２００２−１１５４３７号公報に記載されるような従来の鎌錠は鎌が下向きのものであり、概して構成部品が多く機構が複雑である。特開２００２−２０１８４０号公報記載の引戸錠は、構成部品が少ないものの、操作レバーは引戸錠本体が延在する方向に移動させる機構である。特開２００２−２０１８４０号公報記載の引戸錠の操作レバーを、仮に、引戸錠本体が延在する方向と直交する方向に移動させる機構とするには、少なくとも更に１つの部品が必要となり、簡易な構造とは言えなくなる。また、施錠と開錠を行う際、操作部材を上下方向にストロークする鎌錠の場合、ストロークが必ずしも大きいとは言えず、施錠や開錠の操作の体感が顕著ではないため、施錠忘れなどの問題があった。
【０００６】
従って、本発明の目的は、鎌錠を構成する部品点数が少ない簡易な構造のものであって、施錠と開錠を行う操作部材の上下方向のストロークが大きく、操作の体感が顕著な鎌が上向きの鎌錠を提供することにある。
【課題を解決するための手段】
【０００７】
かかる実情において、本発明者は鋭意検討を行った結果、鎌部材と、施錠と開錠を行う操作を上下方向にストロークする操作部材と、該操作部材と鎌錠部材を連結する揺動リンク部材の３点の構成部品を使用し、鎌部材と揺動リンク部材及び操作部材と揺動リンク部材を、それぞれ引戸錠本体の特定位置で回動自在に連結すれば、鎌錠を構成する部品点数が少ない簡易な構造のものであって、施錠と開錠を行う操作部材の上下方向のストロークが大きく、操作の体感が顕著な鎌が上向きの鎌錠が得られることを見出し、本発明を完成するに至った。
【０００８】
すなわち、本発明は、引戸により開閉される出入り口構成用枠体に設けられた鎌錠用係止金具と、該引戸に該鎌錠用係止金具と対向する引戸の先端面から内方へ延在して装着される下記（Ａ）〜（Ｃ）； （Ａ）該鎌錠本体内部の後部側に該鎌錠本体が延在する方向と直交する方向に揺動可能に枢支される所定長さであって前方側に第１長孔を、中央側に第２長孔を有する揺動リンク部材、（Ｂ）該鎌錠本体の前部側に施錠位置と開錠位置の間を揺動するように枢支された所定長さを有し且つ該枢支位置より後方位置で該揺動リンク部材の第１長孔と互いが回動自在となるように連結する鎌が上向きの鎌部材、（Ｃ）該鎌錠本体の後部側に該鎌錠本体が延在する方向と直交する方向に直線移動するように配置され且つ上方位置で該揺動リンク部材の第２長孔と互いが回動自在となるように連結する所定長さの操作部材、の各部材を備える鎌錠本体と、該操作部材を作動させる引戸の側面に設置される操作手段と、を備えることを特徴とする鎌錠を提供するものである。
【発明の効果】
【０００９】
本発明の鎌錠によれば、鎌部材と、施錠と開錠を行う操作を上下方向にストロークする操作部材と、該操作部材と鎌錠部材を連結する揺動リンク部材の３点の構成部品を使用し、鎌部材と揺動リンク部材及び操作部材と揺動リンク部材を、それぞれ引戸錠本体の特定位置で回動自在に連結するため、鎌錠を構成する部品点数が少ない簡易な構造のものであって、施錠と開錠を行う操作部材の上下方向のストロークが大きく、操作の体感が顕著な鎌錠が得られる。
【発明を実施するための最良の形態】
【００１０】
次ぎに、本発明の実施の形態における鎌錠を図１〜図７を参照して説明する。図１は本実施の形態における鎌錠の一部を分解した斜視図、図２は図１の鎌錠の鎌錠本体の内部構造を示す分解斜視図、図３（Ａ）は図１の鎌錠の第２側面プレート（裏側）の開錠状態における裏面から見た斜視図、図３（Ｂ）は図１の鎌錠の第２側面プレート（裏側）の施錠状態における裏面から見た斜視図、図４（Ａ）は図１の鎌錠の第１側面プレート（表側）の開錠状態における裏面から見た斜視図、図４（Ｂ）は図１の鎌錠の第１側面プレート（表側）の裏面から見た施錠状態における斜視図、図５は開錠状態における鎌錠本体の構造を示す図、図６は開錠状態から施錠状態に至る中間状態における鎌錠本体の構造を示す図、図７は施錠状態における鎌錠本体の構造を示す図である。なお、図２中、先端プレートは作図の都合上、その一部を切り欠いて示した。本明細書中、鎌錠の説明における「前」、「先」は引戸の閉まる方向、すなわち端面側を言い、「後」「奥」はその逆方向を言う。また、鎌錠の説明における「表」は操作レバー３０２が設置される側を言い、「裏」はその逆を言う。
【００１１】
鎌錠１０は、引戸により開閉される出入り口構成用枠体に設けられた鎌錠用係止金具１と、引戸に鎌錠用係止金具１と対向する引戸の先端面から内方へ延在して装着される鎌錠本体２と、操作部材５を作動させる引戸の側面に設置される操作手段からなるものである。操作手段は、鎌錠本体２を両側から挟み込む第１側面プレート（表側）３００と第２側面プレート（裏側）２００を備えるものである。第１側面プレート３００は鎌錠本体の内部機構を作動させる操作レバー３０２を内蔵する。
【００１２】
先ず、鎌錠本体２を説明する。鎌錠本体２は揺動リンク部材（Ａ）、鎌部材（Ｂ）及び操作部材（Ｃ）を鎌錠本体ケース２１ａ、２１ｂ内に内蔵するものである。鎌錠本体ケース２１ａは、先端プレート２２に接続する鎌錠の裏側の部材であって、所定の輪郭形状と、所定の部屋形状と、鎌錠本体ケース２１ｂと嵌合する案内ピン８１、８２、８３を有する。
【００１３】
鎌錠本体ケース２１ａの輪郭形状は、引戸の先端からの取り付け位置を３８ｍｍと５１ｍｍの２通りの位置が選択できるようにしたものであり、側面視が長方形の上方の長辺部に半円形状の３８ｍｍ位置用凹部２５と、半円形状の５１ｍｍ位置用凹部２６を横並びで形成し、下方の長辺部に２つの操作ピン３０３ａ、３０３ｂの通り抜け用の略半円形状の２つの第１切り欠き部２７、第２切り欠き部２８と、略１/４円形状の第３切り欠き部２９を形成したものである。なお、この５つの凹部の関係は、第１側面プレート３００と第２側面プレート２００を接続する接続突起２０８を３８ｍｍ位置用凹部２５に位置させ、接続ピン５００をピン孔１０１に通した場合、２つの操作ピン３０３ａ、３０３ｂがそれぞれ第１切り欠き部２７、第２切り欠き部２８に位置するものであり、接続突起２０８を５１ｍｍ位置用凹部２６に位置させ、接続ピン５００をピン孔１０２に通した場合、２つの操作ピン３０３ａ、３０３ｂがそれぞれ第２切り欠き部２８、第３切り欠き部２９に位置するものである。この場合、第２切り欠き部２８に位置する操作ピンは、操作部材５の係合孔５３に通されている。このような構造を採ることにより、専用ケースを取り付けたり、特別な調整を必要とせず、単に接続位置を変えるのみでバックセット位置を２通りに選択できる。
【００１４】
鎌錠本体ケース２１ａの部屋形状は、鎌部材４が収容される前方側の部屋２３と、操作部材５が収容される後方側の部屋２４と、揺動リンク部材３と操作部材５を連結する連結用短軸７１がガイドされる部屋２４１とを有する。また、鎌錠本体ケース２１ａには、鎌部材４を枢支する固定ピン９１、揺動リンク部材３を枢支する固定ピン９２、バネ部材６の一端を固定する固定ピン９３を支持する軸孔がそれぞれ付設されている。
【００１５】
鎌錠本体ケース２１ｂは、鎌錠本体ケース２１ａと左右対称の部材であり、固定ピン９１〜９３の代わりに、固定ピン９１〜９３が貫通する貫通孔を有する以外は、輪郭形状及び部屋形状は、概ね鎌錠本体ケース２１ａと同様のものである。
【００１６】
揺動リンク部材３は、鎌錠本体２の内部の後部側に鎌錠本体２が延在する方向と直交する方向に揺動可能に軸９２に枢支される中央がやや幅広の長尺部材であって前方側に第１長孔３３を、中央側に第２長孔３２を有する。軸９２は鎌錠本体ケース２１ａと鎌錠本体ケース２１ｂにそれぞれ形成された軸孔に嵌っており当該位置に固定されている。第１長孔３３は、揺動リンク部材３と鎌部材４を接続する連結用短軸７２が通される孔であって、長手方向に長い孔となっている。第２長孔３２は、揺動リンク部材３と操作部材５を接続する連結用短軸７１が通される孔であって、中央で幅方向のやや上方に位置し、枢支位置９２方向に長い孔となっている。また、揺動リンク部材３は、鎌部材４と操作部材５との接続の関係で、中央よりやや先端側の位置で極僅か裏側へ屈曲してそこから先端方向へ延出している。すなわち、平面視で見ると僅かな段差構造の部材となっている。
【００１７】
鎌部材４は、該鎌錠本体２の前部側に施錠位置と開錠位置の間を揺動するように軸９１に枢支される基端部が幅広構造で所定長さを有し且つ枢支位置９１より後方位置で揺動リンク部材４の第１長孔３３と互いが回動自在となるように連結する鎌が上向きの部材である。鎌部材４は開錠状態（図５）において、基端部が上、鎌４１が下となり、施錠状態（図７）において、基端部が奥、鎌４１が前となる。また、鎌部材４には、中央やや基端部寄りで枢支位置９１よりやや後方となり位置にバネ部材６の他端を固定する固定突起９９を有している。
【００１８】
バネ部材６はテンションバネであり、バネ部材６は開錠の状態で鎌部材４が没入する方向に付勢し、施錠の状態で鎌部材４を出す方向に付勢するように設置される。すなわち、バネ部材６は一端がケース側固定ピン９３に接続され、他端が鎌部材４の固定突起９９に接続され、取り付け状態において、鎌部材４をバネで不勢している。すなわち、図５に示す開錠状態においては、鎌部材４を奥側へ付勢しており、開錠状態において鎌４１が先端プレート２２の窓部から出難いようにしている。また、図７に示す施錠状態においては、鎌部材４を上方へ付勢しており、施錠状態において鎌４１が元に戻り難いようにしている。
【００１９】
操作部材５は、操作手段（操作レバー３０２）の操作に連動して上下移動する部材である。操作部材５は、鎌錠本体２の後部側に鎌錠本体２が延在する方向と直交する方向（図５〜図７中、上下方向）に直線移動するように配置され且つ上方位置で揺動リンク部材３の第２長孔３２に連結用短軸７１が嵌ることで、揺動リンク部材３に対して回動自在となるように設置されている。また、揺動リンク部材３と連結する側の基端部（上基端部）が幅広構造となっており、操作レバー３０２側の基端部（下基端部）には連結用孔５３を有している。上基端部を幅広構造とすることにより、揺動リンク部材３との接続位置７１を可能な限り先端寄りとすることができる。このため、施錠と開錠を行う操作部材５の上下方向のストロークを大きく採れ、操作の体感が顕著な鎌錠とすることができる。
【００２０】
次ぎに、第１側面プレート（表側）３００を説明する。第１側面プレート３００はプレート本体３０１と、プレート本体３０１の裏面に形成された溝部３０１ａ内を上下移動する移動駒３０７とからなる。移動駒３０７は、例えば金属製の操作レバー部３０２と案内を円滑にする樹脂製の補助部材３０４の一体化物である。また、プレート本体３０１の前面は下半分が指が入り易いように十分な深さのある凹部３０５を形成しており、操作レバー３０２が凹部３０５から臨んでいる。従って、凹部３０５から指を入れ操作レバー３０２を上方へ押し上げれば、移動駒３０７が上方へ移動し、操作レバー３０２を下方へ押し下げれば、移動駒３０７は下方へ移動する。また、第１側面プレート３００の裏側面には奥側の操作ピン３０３ａと先端側の操作ピン３０３ｂが横並びで付設されている。また、第１側面プレート３００の裏面で２つの操作ピン３０３ａ、３０３ｂの上方には第１側面プレート３００と第２側面プレート２００の位置を定める接続ピン５００が嵌る溝孔を有している。なお、接続ピン５００はそれが嵌る位置を明確にするため、便宜上、図４の第１側面プレート３００に示した。開錠状態では、移動駒３０７は上方に位置しており（図４（Ａ））、施錠状態では、移動駒３０７は下方に位置している（図４（Ｂ））。なお、施錠状態においては、移動駒３０７はその上方部材がプレート本体の鍔部３０８に当接するため、図４（Ｂ）の位置よりは下方には移動しない。
【００２１】
次ぎに、第２側面プレート（裏側）２００を説明する。第２側面プレート２００はプレート本体２０１と、プレート本体２０１の裏面の上方に形成された所定深さの矩形状凹部内を上下移動する第２移動駒２０２とからなる。第２移動駒２０２は、中央に縦溝２０２ａを有するブロック形状物であり、下方両端部には２つの操作ピン３０３ａ、３０３ｂが嵌る係合孔２０５、２０６を有する。また、プレート本体２０１の裏面の溝部２０２ａ内の中央には、ビス２０７とビス２０７の下方に位置する接続ピン５００が嵌る溝孔２０２ｂを有する突起部２０２ｃが形成されている。なお、ビス２０７は締め付け状態においても、ビス頭と第２移動駒２０２間に僅かな隙間が存在しており、第２移動駒２０２の前方への転落を防止すると共に、溝部２０２ａ内の上下移動を可能にしている。第２移動駒２０２の上方移動は第２移動駒２０２の縦溝２０２ａの下方内端と突起部２０２ｃの下端との当接により規制され、第２移動駒２０２の下方移動は第２移動駒２０２の縦溝２０２ａの上方内端と突起部２０２ｃの上端との当接により規制される。
【００２２】
引戸の鎌錠１０をバックセット３８ｍｍの位置に組み付けるには、引戸の先端面から鎌錠本体２を入れ込み、次いで、引戸の両側から第１側面プレート３００と第２側面プレート２００を位置合わせしながら組み込む。このとき、第１側面プレート３００は表側（ロック操作側）となるようにする。すなわち、第１側面プレート３００と第２側面プレート２００を螺子止めにて接続する接続突起２０８を３８ｍｍ位置用凹部２５に位置させ、接続ピン５００をピン孔１０１に通し、第１側面プレート３００の溝孔と第２側面プレート２００の溝孔２０２ｂに嵌め込む。この場合、操作レバー３０２に連動する移動駒３０７に設置された操作ピン３０３ａは第１切り欠き部２７に、操作ピン３０３ｂは第２切り欠き部２８に位置すると共に、操作部材の連結用孔５３に通される。これにより、開錠状態から施錠状態とするには、上方位置にある操作レバー３０２を下方へ移動させる。これにより、移動駒３０７、第２移動駒２０２及び操作部材５が連動して下方へ移動する。施錠状態から開錠状態とするには、下方位置にある操作レバー３０２を上方へ移動させる。これにより、移動駒３０７、第２移動駒２０２及び操作部材５が連動して上方へ移動する。
【００２３】
鎌錠１０において、図５の開錠状態から図７の施錠状態とするには、図５の鎌錠において、先ず操作レバー３０２を下方へ移動させる。すなわち、操作部材５を下方へ移動させる。これにより、揺動リンク部材３の先端部はバネ付勢に抗して図中、下方へ移動し、鎌部材４の鎌４１を時計回りに回動させる。開錠状態から施錠状態に至る中間点では、図６に示すように、バネ部材６が最大に撓む状態があり、これを境にしてバネ部材は鎌部材４を没入状態から突出状態へバネ付勢の作用が反転する。
【００２４】
また、操作部材５と揺動リンク部材３との接続位置７１を先端寄りとしているため、施錠と開錠を行う操作部材５の上下方向のストロークを大きく採れ、操作の体感が顕著な鎌錠とすることができる。本発明において、施錠位置と開錠位置間における操作部材のストロークは、通常６〜７ｍｍであり、また、引戸の先端面から揺動リンク部材の枢支位置９２までの距離Ｌ２が、施錠位置と開錠位置間における操作部材のストロークＬ１の６．５〜８．５倍であることが、施錠と開錠を行う操作部材５の上下方向のストロークを大きく採れ、また、操作の体感が顕著な鎌錠とすることができる。Ｌ２が、Ｌ１の６．５倍未満であると、本発明のような３点の構成部材で当該リンク構成を採ることが困難となり、また８．５倍を越えると引戸の先端から第１及び第２側面プレートまでの設置距離が長くなり、実用性と意匠性の点で使用できなくなる。
【００２５】
引戸の鎌錠１０をバックセット５１ｍｍの位置に組み付けるには、引戸の先端面から鎌錠本体２を入れ込み、次いで、引戸の両側から第１側面プレート３００と第２側面プレート２００を位置合わせしながら組み込む。すなわち、第１側面プレート３００と第２側面プレート２００を接続する接続突起２０８を５１ｍｍ位置用凹部２６に位置させ、接続ピン５００をピン孔１０２に通し、第１側面プレート３００の溝孔と第２側面プレート２００の溝孔２０２ｂに嵌め込む。この場合、操作レバー３０２に連動する移動駒３０７に設置された操作ピン３０３ａは第２切り欠き部２８に位置すると共に、操作部材の連結用孔５３に通される。また、操作ピン３０３ｂは第３切り欠き部２９に位置する。これ以降の操作及び動作説明は、前記バックセット３８ｍｍの位置に組み付ける場合と同様であり、その説明を省略する。
【００２６】
本実施の形態例の鎌錠１０によれば、鎌部材４と揺動リンク部材３及び操作部材５と揺動リンク部材３を鎌錠本体の特定位置で回動自在に連結するため、施錠と開錠を行う操作レバー３０２の上下方向のストロークが大きく、操作の体感が顕著な鎌錠が得られる。
【図面の簡単な説明】
【００２７】
【図１】本実施の形態における鎌錠の一部を分解した斜視図。
【図２】図１の鎌錠の鎌錠本体の内部構造を示す分解斜視図。
【図３】（Ａ）は図１の鎌錠の第２側面プレート（裏側）の開錠状態における裏面から見た斜視図、（Ｂ）は図１の鎌錠の第２側面プレート（裏側）の施錠状態における裏面から見た斜視図。
【図４】（Ａ）は図１の鎌錠の第１側面プレート（表側）の開錠状態における裏面から見た斜視図、（Ｂ）は図１の鎌錠の第１側面プレート（表側）の裏面から見た施錠状態における斜視図。
【図５】開錠状態における鎌錠本体の構造を示す図。
【図６】開錠状態から施錠状態に至る中間状態における鎌錠本体の構造を示す図。
【図７】施錠状態における鎌錠本体の構造を示す図。
【符号の説明】
【００２８】
１  鎌錠用係止金具
２  鎌錠本体
３  揺動リンク部材
４  鎌部材
５  操作部材
６  バネ部材
１０  鎌錠
２１ａ、２１ｂ    鎌錠本体ケース
２２    先端プレート
２３    鎌部材収容スペース
２４    操作部材収容スペース
２５    ３８ｍｍ位置凹部
２６    ５１ｍｍ位置凹部
２７    第１切り欠き部
２８    第２切り欠き部
２９    第３切り欠き部
３１    揺動リンク部材本体
３２    第２長孔
３３    第１長孔
３４、４２    枢支孔
４１    鎌
４３    連結孔
４４    バネ部材固定用軸
４５    鎌部材本体
５１    操作部材本体
５２    連結用長軸
５３    連結用孔
７１、７２  連結用短軸
８１〜８３        鎌錠本体ケース嵌合用案内ピン
９１〜９３  固定ピン
１０１    ３８ｍｍ固定用ピン孔
１０２    ５１ｍｍ固定用ピン孔
２００    第２側面プレート
３００    第１側面プレート
【図１】
2008127743.tif 000003
【図２】
2008127743.tif 000004
【図３】
2008127743.tif 000005
【図４】
2008127743.tif 000006
【図５】
2008127743.tif 000007
【図６】
2008127743.tif 000008
【図７】
2008127743.tif 000009